(57)【特許請求の範囲】
【請求項１】
合成樹脂製の環状枠体１に設けた内向きフランジ２の下面３に、メッシュ織物１３の周縁部を固定し、内向きフランジ２の内周面４の少なくとも上部はメッシュ織物１３を固定せずに、環状枠体１にメッシュ織物１３を張設し、この環状枠体１を中皿２０の口部に被嵌し、中皿２０の口部に設けた筒状突部２１で、メッシュ織物１３の周縁部近くを上方に押し上げ、筒状突部２１の外周面２２と内向きフランジ２の内周面４でメッシュ織物１３の周縁部近くを挟み、中皿２０の口部に設けた外向きフランジ２３上面と、環状枠体１の内向きフランジ２の下面３でメッシュ織物１３の周縁部を挟み付けたパウダーコンパクト。
【発明の詳細な説明】
【０００１】
【発明の属する技術分野】
本発明は、化粧用のパウダーを収容する中皿の口部に、メッシュを張設したパウダーコンパクトに関する。
【０００２】
【従来の技術】
従来、化粧用のパウダーを収容する容器であるパウダーコンパクトのメッシュ付き中皿として、図７に示すものがある。
【０００３】
前記図７に示す中皿２０に嵌着される環状枠体１は、合成樹脂製の環状枠体１に、内向きフランジ２と、下方に垂下する垂下筒状部６を設け、この環状枠体１の内向きフランジ２の上面部５に、メッシュ織物１３の周縁部を固定して、環状枠体１にメッシュ織物１３を張設している。
【０００４】
そして、前記環状枠体１に対するメッシュ織物１３の固定は、一般に、環状枠体１成形用の金型内に、メッシュ織物１３をインサートして置き、このインサートした金型に溶融樹脂を射出して、メッシュ織物１３の張設された環状枠体１を成形している。
【０００５】
そして、前記中皿２０は、化粧用のパウダーを収容した後、中皿２０の口部に、メッシュ織物１３を上面部５に固定した環状枠体１を被嵌して、図７に示すように、中皿２０の口部の筒状突部２１の外側に、環状枠体１を嵌着している。
【０００６】
そして、このパウダーを収容した中皿２０は、図示してないパウダーコンパクトに収納して使用に供するものである。
【０００７】
【発明が解決しようとする課題】
前記パウダーを収容した中皿２０は、メッシュ織物の上面より、パフをメッシュ織物１３を介してパウダーに押し付けて、パフにパウダーを付着させて化粧に使用している。
【０００８】
そうすると、メッシュ織物１３の周縁部で、環状枠体１の内向きフランジ２の上面部５に接着された部分は、メッシュ織物１３にパフが押し付けられる度に、内向きフランジ２の上面部５に対して内側に引っ張られることとなる。
【０００９】
そして、内向きフランジ２の上面部５に固定されたメッシュ織物１３の周縁部は、部分的に上面部５から剥離する。
そして、メッシュ織物１３を形成する糸条片は、繊維をより合わせて形成されているので、メッシュ織物１３を環状枠体１に固定するときに、接着剤、或はインサート成形時の環状枠体１を成形する溶融樹脂が、メッシュ織物１３を形成する糸条片の、より合わせた繊維の間に浸入していて、メッシュ織物１３を環状枠体１に固定している。
【００１０】
したがって、前記したように、メッシュ織物１３の周縁部が、内向きフランジ２の上面部５から剥離したとき、糸条片の繊維の間に浸入していた接着剤や環状枠体１成形用でメッシュ織物１３を環状枠体１に固定していた樹脂の細片が、糸条片から分離して、中皿２０の口部に付着し、或は、化粧料のパウダー内に侵入し、中皿２０の口部や化粧料のパウダーを汚損するものである。
【００１１】
本発明は、前記事項に鑑みなされたものであり、パウダーコンパクトの中皿に取付けられるメッシュ織物が剥離して、中皿の口部やパウダーを汚損しないようにすることを課題とする。
【００１２】
【課題を解決するための手段】
本発明は、合成樹脂製の環状枠体１に設けた内向きフランジ２の下面３に、メッシュ織物１３の周縁部を固定し、内向きフランジ２の内周面４の少なくとも上部はメッシュ織物１３を固定せずに、環状枠体１にメッシュ織物１３を張設し、この環状枠体１を中皿２０の口部に被嵌し、中皿２０の口部に設けた筒状突部２１で、メッシュ織物１３の周縁部近くを上方に押し上げ、筒状突部２１の外周面２２と内向きフランジ２の内周面４でメッシュ織物１３の周縁部近くを挟み、中皿２０の口部に設けた外向きフランジ２３上面と、環状枠体１の内向きフランジ２の下面３でメッシュ織物１３の周縁部を挟み付けたパウダーコンパクトとした。
【００１３】
【発明の実施の形態】
以下図に基づいて本発明の実施の形態の説明をする。図１から図５は本発明の一実施の形態の説明用の図である。
【００１４】
この実施の形態は、図１及び図３に示すように、合成樹脂製の環状枠体１を設けており、この環状枠体１は、水平方向に設けた内向きフランジ２と、内向きフランジ２の外端部から垂下する垂下筒状部６を備えている。そして、垂下筒状部６の下端部は、内径が上部より大径となるように傾斜して形成してある。
【００１５】
そして、前記内向きフランジ２の内周面４と、内向きフランジ２の上面の接する角部、内向きフランジ２の下面３と内周面４の接する角部、及び内向きフランジ２の下面３と垂下筒状部６の接する角部は、円弧状に形成してあることが好ましい。
【００１６】
前記環状枠体１に設けた内向きフランジ２の下面３には、メッシュ織物１３の周縁部を固定し、メッシュ織物１３の周縁部の延長した外端部は、図３に示すように、環状枠体１に設けた垂下筒状部６の内側の上部に固定してある。
【００１７】
そして、メッシュ織物１３の周縁部の内側の周縁部近くは、内向きフランジ２の下面３から円弧状に屈曲して、内向きフランジ２の内周面４の下部（内周面４の高さの略３分の１の高さ）に固定し、内周面４の上部には、メッシュ織物１３の周縁部近くを固定せずに、環状枠体１にメッシュ織物１３を張設してある。
【００１８】
そして、前記環状枠体１に対するメッシュ織物１３の張設は、環状枠体１成形用の金型内に、メッシュ織物１３をインサートして置き、この金型に溶融樹脂を射出して、メッシュ織物１３が固定された環状枠体１を成形している。
【００１９】
そして、前記メッシュ織物１３の周縁部近くを、内向きフランジ２の内周面４の全面に固定しないように形成することも可能である。
そして、メッシュ織物１３を張設した環状枠体１を被嵌する中皿２０は、パウダー収容部を備えた中皿２０の口部に、上方に突出する筒状突部２１と水平方向に設けた外向きフランジ２３を備えている。
【００２０】
そして、中皿２０の筒状突部２１の頂面の内端部の角部、筒状突部２１の頂面の外端部と内周面４の接する角部、前記内周面４と外向きフランジ２３の上面の接する角部、及び外向きフランジ２３の上面の外端部と垂下筒状部６の接する角部は、いずれも円弧状に形成してあることが好ましい。
【００２１】
そして、前記環状枠体１を中皿２０の口部に被嵌し、中皿２０の口部に設けた筒状突部２１で、メッシュ織物１３の周縁部近くを、図２及び図４に示すように、上方に押上げ、筒状突部２１の外周面２２と内向きフランジ２の内周面４でメッシュ織物１３の周縁部近くを挟み付けている。
【００２２】
そして、中皿２０の口部に設けた外向きフランジ２３の上面と、環状枠体１の内向きフランジ２の下面３でメッシュ織物１３の周縁部を挟み付けている。
さらに、前記中皿２０の外向きフランジ２３と環状枠体１の内向きフランジ２は、メッシュ織物１３の周縁部を挟んで、例えば数箇所をスポット溶接３０で接着するなどの方法によって固定している。
【００２３】
そして、前記メッシュ織物１３を張設した中皿２０は、図５に示すようにして、パウダーコンパクトに装着している。
すなわち、合成樹脂製の容器本体３７に、合成樹脂製の環状縁枠３８を取付け、この環状縁枠３８に合成樹脂製の中皿２０を挿入し、中皿２０に嵌着した環状枠体１を、環状縁枠３８に軽く圧入して、中皿２０に嵌着した環状枠体１の垂下筒状部６を、前記環状縁枠３８に止着している。
【００２４】
そして、容器本体３７には、パフ収納皿４５と蓋体４６を、軸４７で開閉可能に軸着し、パフ収納皿４５には、パフ４８を収納できるように形成すると共に、下面に中皿２０の口部を覆う押さえ蓋４９を設けてある。
【００２５】
この実施の形態のメッシュ織物１３の周縁部が固定されるのは、環状枠体１の内向きフランジ２の下面３であり、そして、メッシュ織物１３の周縁部近くは、内向きフランジ２の内周面４の下部に固定されても、内周面４の上部には固定されないものである。
【００２６】
したがって、前記メッシュ織物１３の周縁部が、内向きフランジ２に固定された部分は、内向きフランジ２の下面３と、外向きフランジ２３の上面で挟まれ、そして、メッシュ織物１３の周縁部近くの固定された部分は、内向きフランジ２の内周面４と、筒状突部２１の外周面２２で挟まれている。
【００２７】
よって、パフ４８にパウダーを付着させるため、メッシュ織物１３の上面に、パフ４８を押し付け、メッシュ織物１３に下方に押す力が加えられても、メッシュ織物１３が内向きフランジ２に固定された部分は、前述の如く、環状枠体１の内向きフランジ２と、中皿２０外向きフランジ２３及び筒状突部２１で挟まれているので、移動が抑制されている。
【００２８】
したがって、メッシュ織物１３の固定された部分が、環状枠体１の内向きフランジ２の各部分から剥離するのを防ぐことができるものである。
よって、メッシュ織物１３を固定するとき、メッシュ織物１３を形成する糸条片内に侵入していた樹脂等の細片が外部に排出されるのを防ぐことができるものである。
【００２９】
そして、たとえ樹脂等の細片の一部が、メッシュ織物１３の固定された部分の糸条片から排出されても、前記細片は内向きフランジ２と外向きフランジ２３に挟み付けられていて、中皿２０の口部や中皿２０内に排出されるのを防げるものである。
【００３０】
したがって、中皿２０の口部やパウダーの汚損を防止できる。
そして、ここで固定とは、インサート成形のほか、接着剤等による接着や溶着など、固定手段であれば、いかなる手段でもよい。
【００３１】
そして、メッシュ織物１３が接する環状枠体１の内向きフランジ２の角部、及び中皿２０の外向きフランジ２３と筒状突部２１の角部は、いずれも円弧状に形成されているので、メッシュ織物１３が角部に接して破損するのを防いでいる。
【００３２】
図６は、本発明のメッシュ織物１３を張設した中皿２０の別の実施の形態を示すものである。そして、さきの実施の形態と同様の部分は同一の符号を用い、説明を省略した。
【００３３】
この実施の形態は、環状枠体１の内向きフランジ２の下面３、又は中皿２０の外向きフランジ２３の上面のうち、いずれか一方に凹部７を設け、いずれか他方に凸部２４を設けたものである。
【００３４】
したがって、メッシュ織物１３は、前記凹部７と凸部２４に挟まれて、一層強固に接着され、メッシュ織物の固定した部分の剥離を防止できるものである。
【００３５】
【発明の効果】
本発明は、メッシュ織物１３の周縁部を、環状枠体１に設けた内向きフランジ２の下面３に固定し、メッシュ織物１３の周縁部近くは、固定したとしても、内向きフランジ２の内周面４の下部に固定し、内周面４の上部には固定されないものである。
【００３６】
したがって、メッシュ織物１３の周縁部が、内向きフランジ２の下面３に固定された部分は、内向きフランジ２の下面３と、外向きフランジ２３の上面で挟まれ、そして、メッシュ織物１３の周縁部近くが、内向きフランジ２の内周面４の下部に固定された部分は、内向きフランジ２の内周面４と、筒状突部２１の外周面２２で挟まれている。
【００３７】
よって、メッシュ織物１３に押圧力が加えられても、メッシュ織物１３の内向きフランジ２に固定された部分は、内向きフランジ２と外向きフランジ２３で挟まれ、或は、内向きフランジ２と筒状突部２１で挟まれて移動が抑制されている。
【００３８】
したがって、メッシュ織物１３の固定された部分が、環状枠体１の内向きフランジ２から剥離するのを防ぐことができるものである。
よって、メッシュ織物１３を固定するとき、メッシュ織物１３を形成する糸条片内に侵入していた樹脂等の細片が剥離した部分から外部に排出し、中皿２０の口部やパウダーを汚損するのを防止できる。
【００３９】
そして、たとえ、樹脂等の細片の一部が、メッシュ織物１３の固定された部分の糸条片から排出されても、前記細片は内向きフランジ２と外向きフランジ２３で挟まれ、或は、内向きフランジ２と筒状突部２１で挟まれているので、樹脂等の細片が中皿２０の口部やパウダーに排出するのを防止し、中皿２０の口部やパウダーの汚損を防ぐことができるものである。
【図面の簡単な説明】
【図１】本発明の一実施の形態の中皿と、メッシュ織物を設けた環状枠体の縦断面図
【図２】本発明の一実施の形態の中皿に、メッシュ織物を設けた環状枠体を嵌着した縦断面図
【図３】本発明の一実施の形態の環状枠体と、メッシュ織物の要部の縦断面図
【図４】本発明の一実施の形態の中皿に、メッシュ織物を設けた環状枠体を嵌着した要部の縦断面図
【図５】本発明の一実施の形態のパウダーコンパクトの縦断面図
【図６】本発明の別の実施の形態の中皿に、メッシュ織物を設けた環状枠体を嵌着した縦断面図
【図７】従来例の中皿に、メッシュ織物を設けた環状枠体を嵌着した縦断面図
【符号の説明】
１  環状枠体
２  内向きフランジ
３  下面
４  内周面
５  上面部
６  垂下筒状部
７  凹部
１３  メッシュ織物
２０  中皿
２１  筒状突部
２２  外周面
２３  外向きフランジ
２４  凸部
３０  スポット溶接
３７  容器本体
３８  環状縁枠
４５  パフ収納皿
４６  蓋体
４７  軸
４８  パフ
４９  押さえ蓋
【図１】
0003604500.tif 000002
【図２】
0003604500.tif 000003
【図３】
0003604500.tif 000004
【図４】
0003604500.tif 000005
【図５】
0003604500.tif 000006
【図６】
0003604500.tif 000007
【図７】
0003604500.tif 000008